(57)【要約】【課題】容易に持ち運びすると共に、鼻腔を介して十分な量の空気を気道に送り込むこと。【解決手段】鼻腔を介して呼吸する際に使用される鼻腔挿入具１は、筒状であり、一端側２ａの端部２ａａから他端側２ｂの端部２ｂｂまで延設される中空部１０を内部に有すると共に鼻腔に挿入される右側本体部２Ｒ及び左側本体部２Ｌと、右側本体部２Ｒ及び左側本体部２Ｌの一端側２ａの端部２ａａにおいて中空部１０を外部に開放する開口部１１と、右側本体部２Ｒ及び左側本体部２Ｌの他端側２ｂの端部２ｂｂにおいて中空部１０を外部に開放する開口部１２と、を有する。中空部１０は、他端側２ｂの端部２ｂｂから一端側２ａの端部２ａａに向けて窄まった形状を有する。【選択図】図５
2019180567.tif 000002
【特許請求の範囲】
【請求項１】
鼻腔を介して呼吸する際に使用される鼻腔挿入具であって、
筒状であり、一端側の端部から他端側の端部まで延設される中空部を内部に有すると共に鼻腔に挿入される本体部と、
前記本体部の前記一端側の端部において前記中空部を外部に開放する第１の開口部と、
前記本体部の前記他端側の端部において前記中空部を外部に開放する第２の開口部と、
を有し、
前記中空部は、
前記他端側の端部から前記一端側の端部に向けて窄まった形状を有する、
ことを特徴とする鼻腔挿入具。
【請求項２】
前記本体部は、
前記中空部の周囲の内壁を窪ませて形成した複数の内部凹部を備える、
ことを特徴とする請求項１記載の鼻腔挿入具。
【請求項３】
前記本体部は、
外壁を窪ませて形成した複数の外部凹部と、一端が前記内部凹部に開口されると共に他端が前記外部凹部に開口されて前記中空部を外部に連通する連通孔と、を備える、
ことを特徴とする請求項２記載の鼻腔挿入具。
【請求項４】
前記本体部は、
鼻腔に挿入された際に鼻中隔下制筋を押圧する押圧部を備える、
ことを特徴とする請求項１から請求項３のいずれかに記載の鼻腔挿入具。
【請求項５】
前記本体部は、
前記一端側に設けられると共に前記第１の開口部から外部に突出して互いに離れる方向に延設される複数の板状のガイド片を備える、
ことを特徴とする請求項１から請求項４のいずれかに記載の鼻腔挿入具。
【請求項６】
前記本体部は、
前記他端側に設けられると共に前記中空部の径方向において前記中空部を複数の空間に分割する仕切り壁部を備える、
ことを特徴とする請求項１から請求項５のいずれかに記載の鼻腔挿入具。
【請求項７】
前記仕切り壁部は、
前記第２の開口部から外部に突出している、
ことを特徴とする請求項６記載の鼻腔挿入具。
【請求項８】
前記仕切り壁部は、
前記本体部に対して着脱自在である、
ことを特徴とする請求項６又は請求項７記載の鼻腔挿入具。
【発明の詳細な説明】
【技術分野】
【０００１】
本発明は、鼻腔を介して呼吸する際に使用される鼻腔挿入具に関する。
【背景技術】
【０００２】
睡眠時に一時的に呼吸が停止する睡眠時無呼吸症候群（ＳＡＳ）の症状に悩まされている老若男女が多数存在している。睡眠時無呼吸症候群の症状を生じた際においては、血液中の酸化還元反応が不十分となり、脳に送られる血液が酸欠状態となる。これにより、脳神経組織のみならずホルモン代謝にも悪影響を及ぼし、心疾患、糖尿病又は脳血管疾患と言われる生活習慣病を引き起こす恐れもある。
【０００３】
従来、睡眠時において鼻腔に挿入されて鼻腔を拡張することにより、睡眠時無呼吸症候群の症状を緩和する鼻腔拡張器が知られている（例えば、特許文献１）。このような鼻腔拡張器は、鼻腔に挿入された際に鼻腔を拡張した状態で鼻腔の内部に留まって、鼻腔を介して気道に空気を送り込むことを可能にする。一方、従来のこのような鼻腔拡張器は、重症の睡眠時無呼吸症候群に対して、気道に空気を送り込む際の確実性において劣り、適応できないこともある。
【０００４】
これに対して、従来、睡眠時無呼吸症候群の症状に悩まされる患者に対して、加圧空気を供給する装置に接続されたマスクを装着し、加圧空気を供給する装置よりマスクを介して患者の気道内に陽圧をかけることにより気道の閉塞を防ぐ陽圧療法が知られている（例えば、特許文献２）。このような陽圧療法は、上記の鼻腔拡張器に比べて、気道に確実に空気を送り込むことができる。
【先行技術文献】
【特許文献】
【０００５】
【特許文献１】特表２００６−５０１８８９号公報
【特許文献２】特開２０１１−１８９１７０号公報
【発明の概要】
【発明が解決しようとする課題】
【０００６】
しかしながら、従来の陽圧療法においては、加圧空気を供給する装置やマスクを必要とするため、日常的に寝起きする自宅等と異なる旅先等の場所で使用したい場合には加圧空気を供給する装置やマスクを持ち運びする必要があり、常に使用するのに困難を伴うという課題を有する。
【０００７】
本発明の目的は、容易に持ち運びすることができると共に、鼻腔を介して十分な量の空気を気道に送り込むことができる鼻腔挿入具を提供することである。
【課題を解決するための手段】
【０００８】
本発明に係る鼻腔挿入具は、鼻腔を介して呼吸する際に使用される鼻腔挿入具であって、筒状であり、一端側の端部から他端側の端部まで延設される中空部を内部に有すると共に鼻腔に挿入される本体部と、前記本体部の前記一端側の端部において前記中空部を外部に開放する第１の開口部と、前記本体部の前記他端側の端部において前記中空部を外部に開放する第２の開口部と、を有し、前記中空部は、前記他端側の端部から前記一端側の端部に向けて窄まった形状を有する。
【０００９】
本体部を鼻腔に挿入して鼻腔を介して呼吸する際に、第２の開口部から中空部に取り込んだ空気を、中空部の他端側の端部から一端側の端部に向けて流速を速くして第１の開口部から排出して気道に送り込む。
【発明の効果】
【００１０】
本発明によれば、容易に持ち運びすることができると共に、鼻腔を介して十分な量の空気を気道に送り込むことができる。
【図面の簡単な説明】
【００１１】
【図１】本発明の第１の実施形態に係る鼻腔挿入具の上方の斜め後方から見た斜視図である。
【図２】本発明の第１の実施形態に係る鼻腔挿入具の上方の斜め前方から見た斜視図である。
【図３】本発明の第１の実施形態に係る鼻腔挿入具の背面図である。
【図４】図３のＢ−Ｂ断面図である。
【図５】図３のＡ−Ａ断面図である。
【図６】本発明の第１の実施形態に係る鼻腔挿入具の本体部の拡大断面図である。
【図７】本発明の第１の実施形態に係る鼻腔挿入具の本体部の一端側の拡大断面図である。
【図８】本発明の第１の実施形態に係る鼻腔挿入具の使用状態を模式的に示す図である。
【図９】本発明の第２の実施形態に係る鼻腔挿入具の平面図である。
【図１０】図９のＣ−Ｃ断面図である。
【図１１】本発明の第２の実施形態に係るアタッチメントの断面図である。
【発明を実施するための形態】
【００１２】
以下、図面を適宜参照して、本発明の実施形態に係る鼻腔挿入具につき、詳細に説明する。図中、ｘ軸、ｙ軸及びｚ軸は、３軸直交座標系を成し、ｙ軸の正方向を前方向、ｙ軸の負方向を後ろ方向、ｘ軸方向を左右方向、ｚ軸の正方向を上方向、及びｚ軸の負方向を下方向として説明する。
【００１３】
（第１の実施形態）
＜鼻腔挿入具の構成＞
本発明の第１の実施形態に係る鼻腔挿入具１につき、図１から図７を参照しながら、以下に詳細に説明する。
【００１４】
鼻腔挿入具１は、弾力性のある合成樹脂により一体に形成されており、全体が弾性変形可能になっている。ここで、鼻腔挿入具１を形成する合成樹脂は、例えばスチレン系・エラストマー、ポリエステル・エラストマー、シリコンゴム、ポリエチレン又は塩化ビニルである。
【００１５】
鼻腔挿入具１は、左側の鼻腔に挿入される左側本体部２Ｌと、右側の鼻腔に挿入される右側本体部２Ｒと、左側本体部２Ｌと右側本体部２Ｒとを連結する連結部４と、を有している。左側本体部２Ｌと右側本体部２Ｒとは、ｙ軸に対して対称形状になっている。
【００１６】
左側本体部２Ｌ及び右側本体部２Ｒの各々は、筒状であると共に、他端側２ｂの端部２ｂｂから一端側２ａの端部２ａａに向けて窄まったメガホン状の形状を有しており、一端側２ａから鼻腔に挿入される。具体的には、左側本体部２Ｌ及び右側本体部２Ｒの各々は、中空部１０と、開口部１１と、開口部１２と、押圧部１３と、ガイド片１４と、内部凹部１５と、外部凹部１６と、連通孔１７と、ストッパー部１８と、を有している。
【００１７】
中空部１０は、左側本体部２Ｌ及び右側本体部２Ｒの内部に設けられ、一端側２ａの端部２ａａから他端側２ｂの端部２ｂｂまで延設されていると共に、端部２ｂｂから端部２ａａに向けて窄まった形状を有している。
【００１８】
開口部１１は、一端側２ａの端部２ａａにおいて、中空部１０を外部に開放している。
【００１９】
開口部１２は、他端側２ｂの端部２ｂｂにおいて、中空部１０を外部に開放している。開口部１２の内径は、開口部１１の内径よりも大きい。
【００２０】
押圧部１３は、他端側２ｂにおいて左側本体部２Ｌ又は右側本体部２Ｒと連結部４との接続部から周状に延設されて開口部１２の一部を構成している。押圧部１３は、内方に弾性変形可能であり、左側本体部２Ｌ及び右側本体部２Ｒが鼻腔に挿入された際に、左側本体部２Ｌ及び右側本体部２Ｒの鼻中隔下制筋に対向する位置に設けられて鼻中隔下制筋を押圧する。押圧部１３は、中空部１０の他端側２ｂが外方に向けて徐々に拡径となるように、外方に向けて傾斜した形状になっている。
【００２１】
ガイド片１４は、板状であると共に一対設けられている。ガイド片１４は、一端側２ａの中空部１０の周囲の内壁部１０１に設けられると共に開口部１１から外部に突出して互いに離れる方向に延設されている。一対のガイド片１４は、図７に示すように、中空部１０の中心軸Ｐに対して所定角度θの傾きを有している。ここで、所定角度θは、３０度であることが好ましい。
【００２２】
内部凹部１５は、図６に示すように、中空部１０の周囲の内壁１０１をすり鉢状に窪ませで形成されており、複数設けられている。
【００２３】
外部凹部１６は、図６に示すように、左側本体部２Ｌの外壁１０２及び右側本体部２Ｒの外壁１０２をすり鉢状に窪ませて形成されており、内部凹部１５と互いに背中合わせとなる位置に設けられている。
【００２４】
連通孔１７は、図６に示すように、一端が内部凹部１５の内底面に開口すると共に他端が外部凹部１６の内底面に開口しており、中空部１０を外部に連通している。
【００２５】
ストッパー部１８は、押圧部１３が弾性変形する際の移動方向において押圧部１３に対向して設けられていると共に、開口部１２の一部を構成している。ストッパー部１８は、中空部１０の他端側２ｂが外方に向けて徐々に拡径となるように、外方に向けて傾斜した形状になっている。
【００２６】
上記の構成を有する左側本体部２Ｌと右側本体部２Ｒとは、左側本体部２Ｌの中空部１０の中心軸Ｐと右側本体部２Ｒの中空部１０の中心軸Ｐとが左側本体部２Ｌ及び右側本体部２Ｒよりも前方において交わるように内側を向いている。
【００２７】
＜鼻腔挿入具の動作＞
本発明の第１の実施形態に係る鼻腔挿入具１の動作につき、図１から図８を参照しながら、以下に詳細に説明する。
【００２８】
まず、図１の状態の鼻腔挿入具１において、左側本体部２Ｌと右側本体部２Ｒとを連結部４の弾性力に抗して略平行にして、左側本体部２Ｌを一端側２ａから左側の鼻腔Ｈに挿入すると共に、右側本体部２Ｒを一端側２ａから右側の鼻腔Ｈに挿入する。鼻腔挿入具１が鼻腔Ｈに挿入された際に、左側本体部２Ｌ及び右側本体部２Ｒが鼻腔の内壁に軽く押圧されて内方に弾性変形すると共に、連結部４の弾性復帰力により左側本体部２Ｌと右側本体部２Ｒとが図１に示す状態に戻ろうとすることにより、左側本体部２Ｌ及び右側本体部２Ｒが鼻腔Ｈの内壁を軽く押圧した状態になるため、鼻腔挿入具１の鼻腔Ｈからの脱落を防ぐことができる。
【００２９】
鼻腔挿入具１を鼻腔Ｈに挿入した状態で鼻腔Ｈを介して呼吸をする際に、開口部１２から中空部１０に取り込んだ外気を、中空部１０の他端側２ｂの端部２ｂｂから一端側２ａの端部２ａａに向けて流速を速くして開口部１１から鼻腔Ｈに排出する。これにより、鼻腔Ｈを介して十分な量の空気を気道に送り込むことができる。
【００３０】
この際に、他端側２ｂが外方に向けて徐々に拡径となる形状であるため、開口部１２から中空部１０に流入する空気に対する抵抗を抑制して、開口部１２から中空部１０に流入する空気の流速の低下を抑制することができる。
【００３１】
また、中空部１０を流れる空気を内部凹部１５により渦状にして乱流とすることにより、中空部１０を流れる空気の流速を速くすることができる。
【００３２】
また、内部凹部１５における空気の流れにより、外部凹部１６及び連通孔１７の空気が内部凹部１５に吸い出されて外部凹部１６及び連通孔１７が内部凹部１５よりも陰圧となることにより、鼻の粘膜から分泌される体液が外部凹部１６及び連通孔１７に蒸発し易くなる。外部凹部１６及び連通孔１７に蒸発した体液は、外部凹部１６及び連通孔１７から内部凹部１５に吸引されて中空部１０に達すると共に、更に中空部１０における空気の流れに乗って鼻腔Ｈの奥部又は咽頭部粘膜組織に達する。これにより、鼻腔Ｈの奥部又は咽頭部粘膜組織を湿潤に保つことができると共に、鼻腔Ｈの奥部又は咽頭部粘膜組織の機能を保護することができる。
【００３３】
更に、開口部１１から鼻腔Ｈに排出される空気の流速をガイド片１４によって速くすることができると共に、開口部１１から鼻腔Ｈに排出される空気をガイド片１４にガイドさせて中鼻道に向かって送り出すことができ、喉頭に流れる空気の速度を減速させないようにすることができる。ここで、一対のガイド片１４を中空部１０の中心軸Ｐに対して各々３０度の傾きを有して延設されるように形成することにより、開口部１１から鼻腔Ｈに排出される空気の流速を速くできることが実験により確認されている。
【００３４】
このように、鼻腔挿入具１を介して鼻腔Ｈに取り込む空気の流速を速くすることにより、肺に達する空気の流速を速くして肺胞をより広げることができる。また、肺胞をより広げることにより、その反動で肺胞を効率よく萎めることができるために呼気の流速を速くすることができ、気管支における呼気又は吸気の停滞に伴う呼気と吸気との混濁率を小さくすることができると共に、呼吸量を増加させることができるため、血中酸素飽和度ＳｐＯ２を上昇させることができる。
【００３５】
鼻腔挿入具１が鼻腔Ｈに挿入された状態において、図８に示すように、押圧部１３が鼻腔Ｈの内壁によって内方に押圧されて内方に弾性変形し、その際の押圧部１３の弾性復帰力により押圧部１３が鼻中隔下制筋Ｓを押圧する。これにより、鼻腔Ｈの容積を下方に拡大することができるため、鼻腔Ｈを介してより多くの外気を取り込んだり、鼻腔Ｈを介してより多くの呼気を排出することができる。
【００３６】
また、ストッパー部１８を設けない場合には押圧部１３が内方に大きく弾性変形する可能性があり、この場合には、押圧部１３と、ストッパー部１８を設けない場合の端部２ｂｂと、の間に鼻腔Ｈの粘膜を挟み込んで鼻腔Ｈの粘膜を損傷させる恐れがある。従って、押圧部１３が鼻中隔下制筋Ｓに押圧されて弾性変形する際の押圧部１３の移動方向において押圧部１３に対向するストッパー部１８を設けることにより、鼻腔Ｈの粘膜を損傷させることを防ぐことができる。
【００３７】
更に、押圧部１３により鼻腔Ｈの内壁を外方に押圧することにより、鼻腔Ｈの周囲の筋群のストレッチ効果を得ることができる。
【００３８】
このように、本実施形態によれば、中空部１０を他端側２ｂの端部２ｂｂから一端側２ａの端部２ａａに向けて窄まった形状にすることにより、加圧空気を供給する装置やマスクを使用することなく鼻腔を介して十分な量の空気を気道に送り込むことができる。
【００３９】
また、本実施形態によれば、連結部４により連結された左側本体部２Ｌと右側本体部２Ｒとで鼻腔挿入具１を構成することにより、空気を供給する装置及びマスクを用いずに十分な量の空気を気道に送り込むことができ、容易に持ち運びすることができる。
【００４０】
また、本実施形態によれば、左側本体部２Ｌと右側本体部２Ｒとを連結部４で連結することにより、左側本体部２Ｌ及び右側本体部２Ｒの何れか一方の紛失又は携行忘れを防ぐことができる。
【００４１】
なお、本実施形態において、左側本体部２Ｌ及び右側本体部２Ｒをメガホン状に形成したが、中空部１０が端部２ｂｂから端部２ａａに向けて窄まった形状を有していれば、左側本体部２Ｌ及び右側本体部２Ｒを端部２ｂｂから端部２ａａまで同一径の円筒状に形成してもよい。
【００４２】
（第２の実施形態）
＜鼻腔挿入具の構成＞
本発明の第２の実施形態に係る鼻腔挿入具５につき、図９から図１１を参照しながら、以下に詳細に説明する。
【００４３】
なお、図９から図１１において、図１から図７と同一構成である部分については同一符号を付して、その説明を省略する。
【００４４】
鼻腔挿入具５は、弾力性のある合成樹脂により一体に形成されており、全体が弾性変形可能になっている。ここで、鼻腔挿入具５を形成する合成樹脂は、例えばスチレン系・エラストマー、ポリエステル・エラストマー、シリコンゴム、ポリエチレン又は塩化ビニルである。
【００４５】
鼻腔挿入具５は、左側の鼻腔に挿入される左側本体部６Ｌと、右側の鼻腔に挿入される右側本体部６Ｒと、左側本体部６Ｌと右側本体部６Ｒとを連結する連結部４と、を有している。左側本体部６Ｌと右側本体部６Ｒとは、ｙ軸に対して対称形状をなしている。
【００４６】
左側本体部６Ｌ及び右側本体部６Ｒの各々は、筒状であり、他端側２ｂの端部２ｂｂから一端側２ａの端部２ａａに向けて窄まったメガホン状の形状を有していると共に、他端側２ｂが後方に向けて徐々に上方を向くように形成されており、一端側２ａから鼻腔に挿入される。左側本体部６Ｌの他端側２ｂ及び右側本体部６Ｒの他端側２ｂは、後方に向けて徐々に拡径となるラッパ状に構成されている。具体的には、左側本体部６Ｌ及び右側本体部６Ｒの各々は、中空部１０と、開口部１１と、開口部１２と、ガイド片１４と、内部凹部１５と、外部凹部１６と、連通孔１７と、アタッチメント１９と、を有している。
【００４７】
アタッチメント１９は、左側本体部６Ｌの他端側２ｂ及び右側本体部６Ｒの他端側２ｂに設けられていると共に、左側本体部６Ｌ及び右側本体部６Ｒに対して着脱自在に設けられている。アタッチメント１９は、後方に向けて徐々に拡径となるラッパ状に形成されていると共に、後方に向けて徐々に上方を向くように形成されている。アタッチメント１９は、係止部１９１と、仕切り壁１９２と、仕切り壁１９３と、仕切り壁１９４と、を備えた仕切り壁部である。なお、アタッチメント１９は、後方に向けて徐々に上方を向くように形成する場合に限らず、前後方向に沿って直線状に形成してもよい。
【００４８】
係止部１９１は、棒状であり、仕切り壁１９２、仕切り壁１９３及び仕切り壁１９４に接続されて仕切り壁１９２、仕切り壁１９３及び仕切り壁１９４を一体にしていると共に、長手方向の両端が他端側２ｂにおいて内壁１０１に着脱自在に係止されている。
【００４９】
仕切り壁１９２は、内壁１０１及び仕切り壁１９３との間に設けられていると共に、内壁１０１及び仕切り壁１９３との間に間隔を設けて、内壁１０１及び仕切り壁１９３に沿って延設されている。仕切り壁１９２は、中空部１０の径方向において中空部１０を分割している。仕切り壁１９２は、開口部１２よりも内方に設けられている。仕切り壁１９２は、後方に向けて徐々に拡径となるラッパ状に形成されていると共に、後方に向けて徐々に上方を向くように形成されている。
【００５０】
仕切り壁１９３は、仕切り壁１９２と仕切り壁１９４との間に設けられていると共に、仕切り壁１９２と仕切り壁１９４との間に間隔を設けて、仕切り壁１９２及び仕切り壁１９４に沿って延設されている。仕切り壁１９２は、中空部１０の径方向において中空部１０を分割している。仕切り壁１９３は、開口部１２から外部に突出している。仕切り壁１９３は、後方に向けて徐々に拡径となるラッパ状に形成されていると共に、後方に向けて徐々に上方を向くように形成されている。
【００５１】
仕切り壁１９４は、仕切り壁１９３の内側に設けられていると共に、仕切り壁１９３との間に間隔を設けて、仕切り壁１９３に沿って延設されている。仕切り壁１９４は、中空部１０の径方向において中空部１０を分割している。仕切り壁１９４は、仕切り壁１９３よりも開口部１２から外部に突出している。仕切り壁１９４は、後方に向けて徐々に拡径となるラッパ状に形成されていると共に、後方に向けて徐々に上方を向くように形成されている。仕切り壁１９４の内部の空間は、後方に向けて徐々に広くなっている。
【００５２】
中空部１０の他端側２ｂは、上記の構成を有する仕切り壁１９２、仕切り壁１９３及び仕切り壁１９４によって、中空部１０の径方向において複数の空間に分割されている。なお、仕切り壁１９２、仕切り壁１９３及び仕切り壁１９４は、後方に向けて徐々に上方を向くように形成する場合に限らず、アタッチメント１９を前後方向に沿って直線状に形成する場合において、前後方向に沿って直線状に形成してもよい。
【００５３】
＜鼻腔挿入具の動作＞
本発明の第２の実施形態に係る鼻腔挿入具５の動作につき、図９から図１１を参照しながら、以下に詳細に説明する。
【００５４】
まず、左側本体部６Ｌを一端側２ａから左側の鼻腔に挿入すると共に、右側本体部６Ｒを一端側２ａから右側の鼻腔に挿入する。
【００５５】
鼻腔挿入具５を鼻腔に挿入した状態で鼻腔を介して呼吸をする際に、開口部１２から中空部１０に取り込んだ外気を、中空部１０の他端側２ｂの端部２ｂｂから一端側２ａの端部２ａａに向けて流速を速くして開口部１１から鼻腔に排出する。これにより、鼻腔を介して十分な量の空気を気道に送り込むことができる。
【００５６】
この際に、左側本体部６Ｌ及び右側本体部６Ｒの他端部２ｂを後方に向けて徐々に拡径となるラッパ状に構成することにより、開口部１２から中空部１０に流入する空気に対する抵抗を抑制して、開口部１２から中空部１０に流入する空気の流速を速くすることができる。
【００５７】
また、内壁１０１と仕切り壁１９２との間の空間と、仕切り壁１９２と仕切り壁１９３との間の空間と、仕切り壁１９３と仕切り壁１９４との間の空間、及び仕切り壁１９４で囲まれた空間の各々が互いに隔離されているため、アタッチメント１０を設けない場合に比べて、これらの空間を流れる空気の流速を速くすることができる。
【００５８】
また、左側本体部６Ｌの他端部２ｂ、右側本体部６Ｒの他端部２ｂ及びアタッチメント１９を後方に向けて徐々に拡径となるラッパ状に形成することにより、外部から左側本体部６Ｌ、右側本体部６Ｒ及びアタッチメント１９に流入する空気に対する抵抗を抑制して、外部から左側本体部６Ｌ、右側本体部６Ｒ及びアタッチメント１９に流入する空気の流速の低下を抑制することができる。
【００５９】
また、左側本体部６Ｌの他端部２ｂ、右側本体部６Ｒの他端部２ｂ及びアタッチメント１９を後方に向けて徐々に上方を向くように形成することにより、鼻腔挿入具５を鼻腔に挿入した際に、左側本体部６Ｌの後端、右側本体部６Ｒの後端及びアタッチメント１９の後端が顔の正面に開口するため、外部から左側本体部６Ｌ、右側本体部６Ｒ及びアタッチメント１９に空気を流入し易くすることができる。
【００６０】
更に、仕切り壁１９３及び仕切り壁１９４を開口部１２から外部に突出させることにより、アタッチメント１９を用いてより遠くの空気を中空部１０に取り込むことができる。
【００６１】
なお、鼻腔挿入具５における空気の流速を速くするための上記以外の動作は鼻腔挿入具１における空気の流速を速くするための動作と同一動作であるので、その説明を省略する。
【００６２】
このように、本実施形態によれば、中空部１０を他端側２ｂの端部２ｂｂから一端側２ａの端部２ａａに向けて窄まった形状にすることにより、加圧空気を供給する装置やマスクを使用することなく鼻腔を介して十分な量の空気を気道に送り込むことができる。
【００６３】
また、本実施形態によれば、連結部４により連結された左側本体部６Ｌと右側本体部６Ｒとで鼻腔挿入具５を構成することにより、空気を供給する装置及びマスクを用いずに十分な量の空気を気道に送り込むことができ、容易に持ち運びすることができる。
【００６４】
また、本実施形態によれば、他端側２ｂに設けられると共に中空部１０の径方向において中空部１０を複数の空間に分割するアタッチメント１９を設けることにより、外部から開口部１２を介して中空部１０の他端側２ｂに取り込んだ空気の流速を速くすることができ、自力で十分な量の空気を取り込めない病人等であっても、加圧空気を供給する装置やマスクを使用することなく鼻腔を介して更に十分な量の空気を気道に送り込むことができる。
【００６５】
また、本実施形態によれば、左側本体部６Ｌ及び右側本体部６Ｒに対してアタッチメント１９を着脱自在に設けることにより、鼻腔挿入具５を用いて鼻腔挿入具５を使用する患者の症状に応じた適切な呼吸量で呼吸させることができる。
【００６６】
なお、本実施形態において、左側本体部６Ｌ及び右側本体部６Ｒをメガホン状に形成したが、中空部１０が端部２ｂｂから端部２ａａに向けて窄まった形状を有していれば、左側本体部６Ｌ及び右側本体部６Ｒを端部２ｂｂから端部２ａａまで同一径の円筒状に形成してもよい。
【００６７】
また、本実施形態において、左側本体部６Ｌと右側本体部６Ｒとは、左側本体部６Ｌの中空部１０の中心軸Ｐと右側本体部６Ｒの中空部１０の中心軸Ｐとが左側本体部６Ｌ及び右側本体部６Ｒよりも前方において交わるように内側を向いていてもよい。
【００６８】
また、本実施形態において、アタッチメント１９は仕切り壁１９２、仕切り壁１９３及び仕切り壁１９４の３つの仕切り壁を有しているが、アタッチメントは１つ、２つ又は４つ以上の仕切り壁を有していてもよい。
【００６９】
また、本実施形態において、アタッチメント１９を左側本体部６Ｌ及び右側本体部６Ｒに対して着脱自在にしたが、アタッチメント１９を左側本体部６Ｌ及び右側本体部６Ｒと一体に形成して左側本体部６Ｌ及び右側本体部６Ｒに対して着脱できないようにしてもよい。
【００７０】
また、本実施形態において、仕切り壁１９３及び仕切り壁１９４を開口部１２から外部に突出させたが、仕切り壁１９２、仕切り壁１９３及び仕切り壁１９４のうちの何れか１つ又は複数を開口部１２から外部に突出させることができ、又は、仕切り壁１９２、仕切り壁１９３及び仕切り壁１９４の全てを開口部１２から外部に突出させることができ若しくは開口部１２から外部に突出させないようにすることができる。
【００７１】
本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【００７２】
具体的には、上記第１の実施形態及び第２の実施形態において、左側本体部と右側本体部とを連結部により接続したが、左側本体部と右側本体部とを連結部を用いずに分離してもよい。
【産業上の利用可能性】
【００７３】
本発明は、鼻腔を介して呼吸する際に使用される鼻腔挿入具に好適である。
【符号の説明】
【００７４】
１  鼻腔挿入具
２ａ  一端側
２ａａ  端部
２ｂ  他端側
２ｂｂ  端部
２Ｌ  左側本体部
２Ｒ  右側本体部
４  連結部
５  鼻腔挿入具
６Ｌ  左側本体部
６Ｒ  右側本体部
１０  中空部
１１  開口部
１２  開口部
１３  押圧部
１４  ガイド片
１５  内部凹部
１６  外部凹部
１７  連通孔
１８  ストッパー部
１９  アタッチメント
１０１  内壁
１０２  外壁
１９１  係止部
１９２  仕切り壁
１９３  仕切り壁
１９４  仕切り壁
【図１】
2019180567.tif 000003
【図２】
2019180567.tif 000004
【図３】
2019180567.tif 000005
【図４】
2019180567.tif 000006
【図５】
2019180567.tif 000007
【図６】
2019180567.tif 000008
【図７】
2019180567.tif 000009
【図８】
2019180567.tif 000010
【図９】
2019180567.tif 000011
【図１０】
2019180567.tif 000012
【図１１】
2019180567.tif 000013